(57)【要約】      （修正有）【課題】医療関係の職業などで一日中マスクの装着が必須な場合や病状によりマスクを着けたまま睡眠をする場合において長時間マスクを使用するときに耳に与える苦痛を取り除き緩和することができ、マスクの紐に簡易に着脱することができるマスク紐緩衝具を提供する。【解決手段】マスク紐緩衝具１００は、本体部１０を有し、本体部１０には、差込部用開口１１と、一対の折れ部切込１２ａと、一対の折れ部開口１２ｂと、一対の差込部切込１３ａと、一対の差込部開口１３ｂと、第１の差込部１４ａと、第２の差込部１４ｂが、設けられている。本体部１０は、抗菌加工がされている特殊発砲ウレタンスポンジを用いて一体成型に形成されており、強度、弾力性、柔軟性を有するものである。マスク紐緩衝具１００は、マスクＭの紐Ｈに着脱自在に取り付け且つ取り外すように形成されており、マスクＭの紐Ｈに簡易に着脱することができる。【選択図】図１
0003229008.tif 000002
【実用新案登録請求の範囲】
【請求項１】
マスクの紐に巻き付けるように形成されており板状の本体部を有しているマスク紐緩衝具であって、
前記板状の本体部は、矩形に形成されており、予め定められた長手方向の長さと、予め定められた短手方向の長さと、予め定められた厚さを有し、
前記本体部には、差込部用開口と、一対の折れ部切込と、一対の折れ部開口と、一対の差込部切込と、一対の差込部開口と、第１の差込部と、第２の差込部が、設けられており、
前記一対の折れ部切込と前記一対の折れ部開口に、前記マスクの紐を当接させて巻き込み、前記一対の差込部切込と前記一対の差込部開口から前記第１の差込部と前記第２の差込部が対向するように折り曲げて、前記折り曲げられた前記第１の差込部と前記第２の差込部を、前記差込部用開口に差し込み貫通させるように形成されており、
前記マスクの紐に着脱自在に取り付け且つ取り外すように形成されており、
前記マスクの紐に取り付けられ、前記マスクが装着され使用されているときに、前記耳を保護し痛みを緩和することを特徴とするマスク紐緩衝具。
【請求項２】
前記板上の本体部は、抗菌加工がされている特殊発砲ウレタンスポンジを用いて一体成型に形成されていることを特徴とする請求項１に記載のマスク紐緩衝具。
【請求項３】
前記長手方向の長さは略５０ｍｍであり、前記短手方向の長さは略２５ｍｍであり、前記厚さは略５ｍｍであることを特徴とする請求項２に記載のマスク紐緩衝具。
【請求項４】
前記マスクの紐を、前記一対の折れ部開口の間を、一回または複数回巻くことにより、前記紐の長さを調節することを特徴とする請求項１から請求項３のいずれかに記載のマスク紐緩衝具。
【考案の詳細な説明】
【技術分野】
【０００１】
本考案は、マスク紐緩衝具に関する。
【背景技術】
【０００２】
病気感染予防、防塵、花粉症対策などのためにマスクが用いられており、頻繁にマスクを利用する医療従事者や花粉症患者、防塵を必要とする職種などにおいては、長時間継続してマスクのゴム紐を両耳にかけていることにより痛みや不快を感じるという問題があり、例えば、マスク用係止具が開示されている。
【先行技術文献】
【特許文献】
【０００３】
【特許文献１】特開２０１６−８３２５０号公報
【考案の概要】
【考案が解決しようとする課題】
【０００４】
従来のものでは安定して使用することができず、マスクの使用において、装着が長時間に亘る場合に耳の付け根が圧迫され、例えば、頭痛、肩こりなどの様々な身体への不都合が多々発生している。特に職業によっては、一日中マスク装着が必須であるという場合において、健康上の大きな問題となっており、その解決が求められている。また、病状によってはマスクを着けたまま睡眠をすることもあり、このような場合の解決も求められている。
【０００５】
そこで本考案は、このような課題を解決するためになされたもので、医療関係の職業などで一日中マスクの装着が必須な場合や病状によりマスクを着けたまま睡眠をする場合において長時間マスクを使用するときに耳に与える苦痛を取り除き緩和することができ、マスクの紐に簡易に着脱することができるマスク紐緩衝具を提供するものである。
【課題を解決するための手段】
【０００６】
上記課題を解決するために、本考案に係るマスク紐緩衝具は、マスクの紐に巻き付けるように形成されており板状の本体部を有しているマスク紐緩衝具であって、前記板状の本体部は、矩形に形成されており、予め定められた長手方向の長さと、予め定められた短手方向の長さと、予め定められた厚さを有し、前記本体部には、差込部用開口と、一対の折れ部切込と、一対の折れ部開口と、一対の差込部切込と、一対の差込部開口と、第１の差込部と、第２の差込部が、設けられており、前記一対の折れ部切込と前記一対の折れ部開口に、前記マスクの紐を当接させて巻き込み、前記一対の差込部切込と前記一対の差込部開口から前記第１の差込部と前記第２の差込部が対向するように折り曲げて、前記折り曲げられた前記第１の差込部と前記第２の差込部を、前記差込部用開口に差し込み貫通させるように形成されており、前記マスクの紐に着脱自在に取り付け且つ取り外すように形成されており、前記マスクの紐に取り付けられ、前記マスクが装着され使用されているときに、前記耳を保護し痛みを緩和することを特徴とする。
【０００７】
本考案に係るマスク紐緩衝具の態様について、前記板上の本体部は、抗菌加工がされている特殊発砲ウレタンスポンジを用いて一体成型に形成されていることが好ましい。
【０００８】
本考案に係るマスク紐緩衝具の態様について、前記長手方向の長さは略５０ｍｍであり、前記短手方向の長さは略２５ｍｍであり、前記厚さは略５ｍｍであることが好ましい。
【０００９】
本考案に係るマスク紐緩衝具の態様について、前記マスクの紐を、前記一対の折れ部開口の間を、一回または複数回巻くことにより、前記紐の長さを調節することが好ましい。
【考案の効果】
【００１０】
本考案によれば、医療関係の職業などで一日中マスクの装着が必須な場合や病状によりマスクを着けたまま睡眠をする場合において長時間マスクを使用するときに耳に与える苦痛を取り除き緩和することができ、マスクの紐に簡易に着脱することができるマスク紐緩衝具を提供することができる。
【図面の簡単な説明】
【００１１】
【図１】実施形態のマスク紐緩衝具の一例を示す模式図である。
【考案を実施するための形態】
【００１２】
以下、本考案の実施形態を、図１を用いて説明する。図１（ａ）は、マスク紐緩衝具１００の上面を示す模式図であり、図１（ｂ）は、マスク紐緩衝具１００の側面を示す模式図であり、図１（ｃ）は、マスク紐緩衝具１００がマスクの紐を挟み込んでいる状態を側面から見た模式図であり、また、図１（ｄ）は、マスク紐緩衝具１００がマスクの紐を挟み込んでいる状態を上面から見た模式図である。なお、これらの図は、一例であり本考案の技術的範囲において、マスク紐緩衝具１００は、適宜最適なものとすることができる。
【００１３】
本考案の実施形態であるマスク紐緩衝具１００は、マスクの紐に巻き付けるように形成されており板状の本体部１０を構成としている。板状の本体部１０は、矩形に形成されており、予め定められた長手方向の長さと、予め定められた短手方向の長さと、予め定められ厚さを有しており、この例においては、長手方向の長さは略５０ｍｍであり、短手方向の長さは略２５ｍｍであり、厚さは略５ｍｍであるが、これに限定されず適宜最適な値を用いて設計すればよい。また、上記の矩形は、角部が面取りされていることが望ましい。
【００１４】
本体部１０には、差込部用開口１１と、一対の折れ部切込１２ａと、一対の折れ部開口１２ｂと、一対の差込部切込１３ａと、一対の差込部開口１３ｂと、第１の差込部１４ａと、第２の差込部１４ｂが、設けられている。この例において、本体部１０は、抗菌加工がされている特殊発砲ウレタンスポンジを用いて一体成型に形成されているが、これに限定されず、強度、弾力性、柔軟性などを有する適宜最適な素材を選択すればよい。
【００１５】
一対の折れ部切込１２ａ一対の折れ部開口１２ｂに、マスクの紐を当接させて巻き込み、つまり本体部１０の長手方向の中央部分に設けられている一対の折れ部切込１２ａ一対の折れ部開口１２ｂを、折り曲げることでマスクの紐を挟み込むということであり、本体部１０の長手方向が中央部分で折り曲げられている状態である。なお、マスクの紐は、左右一対であり、マスク紐緩衝具１００も一対、つまり２つ必要であるが、説明の便宜上一つのマスク紐緩衝具１００を用いて説明する。
【００１６】
次に、一対の差込部切込１３ａと一対の差込部開口１３ｂから第１の差込部１４ａと第２の差込部１４ｂを持ち上げるようにして、第１の差込部１４ａと第２の差込部１４ｂが対向するように折り曲げ、折り曲げられた第１の差込部１４ａと第２の差込部１４ｂを、差込部用開口１１に差し込み貫通させる。上記のとおりマスク紐緩衝具１００の素材は、強度、弾力性、柔軟性などを有しており、第１の差込部１４ａと第２の差込部１４ｂを、差込部用開口１１に差し込むときは、圧縮して差し込み、貫通した部分は元の形状に戻り差込部用開口１１を覆うようになる。
【００１７】
すなわち、弾力性を有する第１の差込部１４ａと第２の差込部１４ｂは、それぞれの先端部が、差込部用開口１１を貫通し、外部においてストッパーとしての機能を有し、マスクの紐を挟み込み固定した状態になっている。このような状態で、マスクの紐を耳に掛けてマスクを装着することができるが、マスク紐緩衝具１００を耳のどの部分に当接するかということについては、好みにより任意に調整することができる。また、マスク紐緩衝具１００は、紐が耳の谷間に掛かることを防ぐことができ、接触を耳たぶに分散させ、痛み、煩わしさなどを解消することができる優れた効果を有している。
【００１８】
このようにマスク紐緩衝具１００がマスクの紐に取り付けられ、マスクが装着され使用された状態において、耳を保護し痛みを緩和することができ、特に、医療関係の職業などで一日中マスクの装着が必須な場合や病状によりマスクを着けたまま睡眠をする場合において長時間マスクを使用するときに耳に与える苦痛を取り除き緩和することができる顕著な効果を有している。また、マスク紐緩衝具１００は、マスクの紐に着脱自在に取り付け且つ取り外すように形成されており、マスクの紐に簡易に着脱することができる優れたものである。
【００１９】
マスク紐緩衝具１００は、マスクの紐を、一対の折れ部開口１２ｂの間を、一回または複数回巻くことにより、紐の長さを調節することができる構成となっている。このような構成により、マスクの紐が長い場合に、簡易に長さを調節することができる。
【００２０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２１】
また、本考案のマスク紐緩衝具の大きさや形状、素材の厚さ、重さなどについては多様な実施形態が可能であり、それらについて本実施形態と異なる形態による実施は、本考案の技術的範囲に含まれる。
【符号の説明】
【００２２】
１００  マスク紐緩衝具
１０    本体部
１１    差込部用開口
１２ａ  折れ部切込
１２ｂ  折れ部開口
１３ａ  差込部切込
１３ｂ  差込部開口
１４ａ  第１の差込部
１４ｂ  第２の差込部
Ｍ      マスク
Ｈ      紐
【図１】
0003229008.tif 000003